(57)【要約】【課題】長期間に渡って自動点滅器の誤動作が防止され、太陽が沈み暗くなるとが点灯し、太陽が昇り明るくなると消灯する信頼性の高いＬＥＤ照明装置を得る。【解決手段】自動点滅器６を内蔵したＬＥＤランプ本体１０と、前記ＬＥＤランプ本体１０を、被取付体に固定するための取付手段２０と、を有するＬＥＤ照明器具１００において、前記自動点滅器６に外光を採り入れるための採光部１４が、被取付体に対向する側の、前記ＬＥＤランプ本体１０の外殻で、前記ＬＥＤランプ本体と前記取付手段との連結位置に設けられている。【選択図】図６
2014086248.tif 000002
【特許請求の範囲】
【請求項１】
自動点滅器を内蔵したＬＥＤランプ本体と、
前記ＬＥＤランプ本体を、被取付体に固定するための取付手段と、
を有するＬＥＤ照明器具において、
前記自動点滅器に外光を採り入れるための採光部が、
被取付体に対向する側の、前記ＬＥＤランプ本体の外殻に設けられていることを特徴としたＬＥＤ照明器具。
【請求項２】
前記取付手段は、前記採光部が外光の採光を阻害しない形状であり、該取付手段が、前記被取付体に対向する側の、前記ＬＥＤランプ本体の外殻に取り付けられ、
前記採光部は、前記ＬＥＤランプ本体と前記取付手段との連結位置に設けられていることを特徴とした請求項１に記載のＬＥＤ照明装置。
【請求項３】
前記取付手段が、下面及び２つの側面とからなり、該断面がコ字形状に形成されていることを特徴とした請求項２に記載のＬＥＤ照明装置。
【請求項４】
前記採光部は、下面が開口した庇を備えていることを特徴とした請求項１から３のいずれかに記載のＬＥＤ照明装置。
【発明の詳細な説明】
【技術分野】
【０００１】
本発明は、屋外の支柱等に取り付けられるＬＥＤ照明装置に関し、特に自動点滅器を備えたＬＥＤ照明装置に関する。
【背景技術】
【０００２】
近年、環境意識の高まりから、省電力化に優れたＬＥＤ素子を光源に使用したＬＥＤ照明装置が盛んに用いられるようになってきており、屋外の支柱等に取り付けられる道路灯、駐車場灯、防犯灯などにも使用されるようになってきている。従来から、これら屋外灯には、外光の明るさを検知して自動で点灯、消灯させる自動点滅器が内蔵されており、太陽が沈み暗くなると点灯し、太陽が昇り明るくなると消灯する機能が備えられている。更に、照明装置自身の明かりや（特許文献１）、自動車のヘッドライトや照明装置自身の反射光（特許文献２）によって、暗いにも関わらず消灯してしまう等の自動点滅器の誤動作を防止するための工夫が施された照明器具が知られている。
【０００３】
特許文献１に記載されている照明器具では、自動点滅器と灯具とが透光性を有するカバーで覆われ、自動点滅器の受光部と対向する部分のカバーに、カバー内を反射する灯具からの光を遮断するための遮光体が設けられ、自動点滅器の受光部を覆う遮光体の下部をカバー内に埋設した構造とすることで、灯具自身の光が受光部に侵入するのを防止している。
また特許文献２に記載されている照明器具では、器具本体の上面部に凹部を有し、自動点滅器の受光部が凹部内に位置して、器具本体に装着される構造として、自動車のヘッドライトや反射光が受光部に侵入するのを防止している。
【先行技術文献】
【特許文献】
【０００４】
【特許文献１】特開平３−２１６９０８
【特許文献２】特開平９−２７４８０９
【発明の概要】
【発明が解決しようとする課題】
【０００５】
しかしながら、特許文献１に記載されている照明器具では、カバーの厚み方向に遮光体を取り付ける構造のため、作製に手間がかかり、また路面側に受光部が向いているため、周囲の明かりを感知しやすく、太陽が沈んでいるにも関わらず消灯してしまう虞がある。
また、特許文献２に記載されている照明器具では、長期使用とともに器具本体の上面の凹部に堆積した塵や、水垢によって、採光窓の光透過率が低下していき、明るいにも関わらず点灯する虞が生じ、また周囲に高い建物があると、そこから漏れてくる明かりによって誤動作する虞がある。
【０００６】
本発明は、以上のような課題を解決するため鋭意検討した結果なされたものであり、自動点滅器の誤動作を防止したＬＥＤ照明装置を提供するものである。
【課題を解決するための手段】
【０００７】
請求項１に記載の発明にあたっては、自動点滅器を内蔵したＬＥＤランプ本体と、前記ＬＥＤランプ本体を、被取付体に固定するための取付手段と、を有するＬＥＤ照明器具において、前記自動点滅器に外光を採り入れるための採光部が、被取付体に対向する側の、前記ＬＥＤランプ本体の外殻に設けられていることを特徴とするものである。
【０００８】
請求項２に記載の発明にあたっては、前記取付手段は、前記採光部が外光の採光を阻害しない形状であり、該取付手段が、前記被取付体に対向する側の、前記ＬＥＤランプ本体の外殻に取り付けられ、前記採光部は、前記ＬＥＤランプ本体と前記取付手段との連結位置に設けられていることを特徴とするものである。
【０００９】
請求項３に記載の発明にあたっては、前記取付手段が、下面及び２つの側面とからなり、該断面がコ字形状に形成されていることを特徴とするものである。
【００１０】
請求項４に記載の発明にあたっては、前記採光部は、下面が開口した庇を備えていることを特徴とするものである。
【発明の効果】
【００１１】
本発明によれば、比較的簡単な構成によって、照明装置のＬＥＤ光やその反射光、あるいは外部の人工光等の影響を受けずに長期間に渡って自動点滅器の誤動作が防止され、太陽が沈み暗くなると点灯し、太陽が昇り明るくなると消灯する信頼性の高いＬＥＤ照明装置が得られる。
【図面の簡単な説明】
【００１２】
【図１】本実施形態に係わるＬＥＤ照明装置と被取り付け手段の外観図
【図２】本実施形態に係わるＬＥＤ照明装置を後ろから見た外観斜視図
【図３】本実施形態に係わるＬＥＤ照明装置を前から見た外観斜視図
【図４】本実施形態に係わるＬＥＤ照明装置のＸ−Ｘ線断面斜視図
【図５】本実施形態に係わるＬＥＤランプ本体の背面図
【図６】本実施形態に係わる取付手段周辺の拡大断面斜視図
【図７】本実施形態に係わる自動点滅器周辺の拡大断面斜視図
【図８】本実施形態に係わるＬＥＤ照明装置の分解斜視図
【発明を実施するための形態】
【００１３】
以下に本発明の好適な実施形態について、図面を参照しながら説明する。なお本実施形態は一例であり、これに限定されるものではない。図１は、本実施形態のＬＥＤ照明装置１００が被取付体である支柱２００に取り付けられた外観図である。図２は、本実施形態に係わるＬＥＤ照明装置１００を後ろから見た外観斜視図である。図３は、本実施形態に係わるＬＥＤ照明装置１００を前から見た外観斜視図である。図４は、本実施形態に係わるＬＥＤ照明装置１００のＸ−Ｘ線断面斜視図である。図５は、本実施形態に係わるＬＥＤランプ本体１０の背面図である。図６は、本実施形態に係わる取付手段２０周辺の拡大断面斜視図である。図７は、本実施形態に係わる自動点滅機６周辺の拡大断面斜視図である。図８は本実施形態に係わるＬＥＤ照明装置１００の分解斜視図である。
【００１４】
本実施形態に係わるＬＥＤ照明装置１００は、被取付体である屋外に設けられた支柱２００に取り付けて使用される防犯灯であり、ＬＥＤランプ本体１０と、該ＬＥＤランプ本体１０を、支柱へ取り付けるための取付手段であるアーム２０とを備えている。なお被取付体は、支柱に限らず壁面、枠体等であってもよい。
【００１５】
ＬＥＤランプ本体１０の外郭は、下面開口の筐体１１と、該下面開口を覆う透光性カバー１２とから構成されている。
ＬＥＤランプ本体１０の内部には、図４に示すように、複数のＬＥＤ素子１を実装したＬＥＤ基板２と、ＬＥＤ基板２を載置する支持板３と、点灯回路基板４を内蔵した電源ボックス５と、自動点滅器６とが、概略収容されている。
【００１６】
アーム２０は鋼板を使用して、該アーム２０の断面がコ字形状に形成され、アーム下面２１と２つのアーム側面２２、２３とを有しており、支柱２００方向にヘの字状に屈曲するように成形されている。図１に示すように、アーム２０の一端側は、該アーム２０の開口部が上側を向くように、ＬＥＤランプ本体１０に挿入されて固定され、他端側は、簡易取付金具２１０を使用して支柱２００に取り付けられる。
【００１７】
筐体１１は、ポリブチレンテレフタレート樹脂を用いて、細長い船形に成形されている。この筐体１１には、支柱２００に取り付けた時に、被照射面となる路面と対向する側に、略直方体形状の枠体で囲われた開口面が形成されている（図３）。また図５に示すように、被取付体に対向する筐体１１の背面側の外殻には、アーム２０の断面形状に対応した上向きコ字形の貫通スリット１３（図５の斜線部分）と、自動点滅器６へ外光を採り入れるための採光部１４、及び採光部の上側に設けた略コの字形の庇１５とが備えられている。
アーム２０は、貫通スリット１３に、アーム２０の先端部が挿入されてＬＥＤランプ本体に固定される。本実施形態では、アーム２０は、筐体１１の長手方向の半分程度まで挿入されているが、全長に渡るように挿入されていてもよい。
【００１８】
採光部１４は、前述したように筐体１１の外殻に備えられ、筐体１１の外壁が貫通され、アーム２０と庇１５とで囲まれた部分に位置するように設けられている。また採光部１４には、防塵、防水のためにシリコーン製のキャップが取り付けられている。なお本実施形態では採光部を円形窓としたが、これに限定されず楕円、矩形の窓や、スリット形状でもよい。
透光性カバー１２は、ポリカーボネート樹脂を使用して船形に成形され、ＬＥＤ基板２を覆うように、筐体１１に取り付けられている。
【００１９】
ＬＥＤ素子１としては公知の種々のＬＥＤを用いることができる。本実施形態では、照明用の白色光を発光する高輝度タイプのＬＥＤ素子を用いている。またチップオンボード型のＬＥＤモジュールを使用してもよい。
【００２０】
ＬＥＤ基板２は、長尺の平板で公知のガラスエポキシ基板、金属基板、セラミックス基板等のプリント基板が用いられる。本実施形態では、電気絶縁樹脂で被覆された金属基板からなるプリント基板が用いられ、片面にＬＥＤ素子１が実装されている。更に各ＬＥＤ素子を覆うように、ＬＥＤ基板２上に、所望の配光が得られるように複数のレンズ７が配置され、レンズ固定部材８で固定されている。
【００２１】
支持板３は、長尺形状のアルミニウム製の平板が使用され、図８に示すように、ＬＥＤ基板載置面３１と、該ＬＥＤ基板載置面の３辺から透光性カバー側に延出した側面３２とからなる下方開口の箱体として成形されている。ＬＥＤ基板載置面３１にＬＥＤ基板２が接合され、該支持板３の短辺側の一端が、アーム２０の端部に取り付けられている。
【００２２】
点灯回路基板４は、平板状のプリント基板であり、ＬＥＤ基板２と平行になるように、電源ボックス５に収納されている。
電源ボックス５は略直方体のポリブチレンテレフタレート製のボックスで、点灯回路基板が載置される電源ボックス本体５１と、電源ボックス蓋体５２とから構成されている。      
該電源ボックス５は、図６に示すように、アーム下面２１と、透光性カバー１２との間で、採光部に近い側に配置されている。すなわち、採光部に近い側の筐体１１の長手方向３分の１程度の部分に、電源ボックスが配置され、残りの３分の２程度の部分に支持板３が配置されている。なお電源ボックス本体は図８に示す、筐体１１の上面内壁から起立された図示されていないボスにネジで固定されている。
【００２３】
自動点滅器６は、図６に示すように自動点滅制御基板６１と明暗センサ６２とを備え、設定した明るさを境に点灯と消灯を制御する器具であり、筐体１１の上面内壁とアーム下面２１との間で、明暗センサ６２が採光部１４と対向し、近接するように配置されている。図７に示すように、筐体１１の内壁から起立された複数のリブ１６で自動点滅制御基板６１が挟持され、電源ボックス本体５１の上面外壁から起立されたリブ１７で押さえつけられて固定されている。
この配置構造によって、筐体１１の内部においては、自動点滅器６は、支持板３と、電源ボックス５と、アーム下面２１、アーム側面２２、２３とで遮光されるので、ＬＥＤ光やその反射光が自動点滅器に到達せず、光源自体からの光進入による誤動作が防止されている。
【００２４】
また、アーム下面２１、アーム側面２２、２３、及び支柱２００とによって、採光部１４へのＬＥＤ光による反射光の侵入が防止され、また庇１５や支柱２００とによって周囲の高層ビル等からの光の侵入が防止される。更に採光部１４は、これらコの字形のアーム２０、下面が開口したコの字形の庇１５、支柱２００とで囲まれていることとによって、採光部１４に塵が堆積しづらく、また雨もアーム２０に沿って支柱２００に流れ落ち、乾燥しても採光部１４に水垢が発生しづらくなっている。
このように、本発明によれば、比較的簡単な構成によって、照明装置のＬＥＤ光やその反射光、あるいは外部の人工光等の影響を受けずに長期間に渡って自動点滅器６の誤動作が防止され、太陽が沈み暗くなるとが点灯し、太陽が昇り明るくなると消灯する信頼性の高いＬＥＤ照明装置１００が得られる。
【符号の説明】
【００２５】
１：ＬＥＤ素子
２：ＬＥＤ基板
３：支持板、３１：ＬＥＤ基板載置面、３２：側面
４：点灯回路基板
５：電源ボックス、５１：電源ボックス本体、５２：電源ボックス蓋体
６：自動点滅器、６１：自動点滅制御基板、６２：明暗センサ
７：レンズ
８：レンズ固定部材
１０：ＬＥＤランプ本体
１１：筐体
１２：透光性カバー
１３：貫通スリット
１４：採光部
１５：庇
１６、１７：リブ
２０：アーム（取付手段）
２１：アーム下面
２２、２３：アーム側面
１００：ＬＥＤ照明装置
２００：支柱（被取付手段）
２１０：簡易取付金具
【図１】
2014086248.tif 000003
【図２】
2014086248.tif 000004
【図３】
2014086248.tif 000005
【図４】
2014086248.tif 000006
【図５】
2014086248.tif 000007
【図６】
2014086248.tif 000008
【図７】
2014086248.tif 000009
【図８】
2014086248.tif 000010